(57)【要約】【課題】  本発明は、ＤＨＣＰによることなくネットワーク層の通信アドレスを遠隔監視制御装置に自動的に割り当て得る集合住宅向けの遠隔監視制御システム及びアドレス配布装置を提供する。【解決手段】  本発明に係る、遠隔監視制御装置１３とセンタサーバ１１とゲートウェイ装置１２とを備える集合住宅向けの遠隔監視制御システム１において、センタサーバ１１から、遠隔監視制御装置１３を識別し特定する識別子と遠隔監視制御装置１３の通信アドレスとの対応関係を示すアドレスリストの提供を受けるアドレス配布装置がゲートウェイ装置に備えられ、遠隔監視制御装置１３は、予め記憶している当該遠隔監視制御装置１３の識別子をアドレス配布装置に送信することにより、アドレスリストから当該遠隔監視制御装置１３の識別子に対応する通信アドレスを受信し、通信アドレスとして設定する。【選択図】      図１
2006197487.tif 000002
【特許請求の範囲】
【請求項１】
集合住宅の住戸に配置され、機器の動作を監視及び／又は制御すると共に監視結果及び／又は制御結果として前記機器の動作状態を示す状態信号を送信する遠隔監視制御装置と、
前記機器の動作状態を要求する要求信号を前記遠隔監視制御装置に送信することによる前記機器の動作の監視及び／又は前記機器の動作を制御する制御信号を前記遠隔監視制御装置に送信することによる前記機器の動作の制御を行うセンタサーバと、
前記センタサーバが接続する第１ネットワークにおける第１通信プロトコルと前記遠隔監視制御装置が接続する第２ネットワークにおける第２通信プロトコルとの間で相互に通信プロトコルの変換を行うことにより前記センタサーバと前記遠隔監視制御装置との間の通信を可能とする前記集合住宅に配置されるゲートウェイ装置とを備える集合住宅向けの遠隔監視制御システムにおいて、
前記遠隔監視制御装置は、
該遠隔監視制御装置を識別し特定する識別子を予め記憶する第１記憶部と、
前記第１記憶部の識別子と前記第２ネットワークにおける通信に使用するネットワーク層の通信アドレスの配布を要求する旨の情報とを収容する配布要求信号を後記第１アドレス配布装置に送信することによって該通信アドレスを取得し設定するアドレス取得処理部とを備え、
前記センタサーバは、
前記識別子と前記通信アドレスとの対応関係を示すアドレスリストを予め記憶する第２記憶部と、
前記第２記憶部のアドレスリストを後記第１アドレス配布装置に提供するアドレス提供処理部とを備え、
前記センタサーバから前記アドレスリストの提供を受けると共に、前記遠隔監視制御装置から前記配布要求信号を受信した場合に、前記アドレスリストから取り出した、該配布要求信号に収容されている識別子に対応する通信アドレスを収容する配布信号を該遠隔監視制御装置に返信する第１アドレス配布装置をさらに備えること
を特徴とする集合住宅向けの遠隔監視制御システム。
【請求項２】
集合住宅の住戸に配置され、機器の動作を監視及び／又は制御すると共に監視結果及び／又は制御結果として前記機器の動作状態を示す状態信号を送信する遠隔監視制御装置と、
前記機器の動作状態を要求する要求信号を前記遠隔監視制御装置に送信することによる前記機器の動作の監視及び／又は前記機器の動作を制御する制御信号を前記遠隔監視制御装置に送信することによる前記機器の動作の制御を行うセンタサーバと、
前記センタサーバが接続する第１ネットワークにおける第１通信プロトコルと前記遠隔監視制御装置が接続する第２ネットワークにおける第２通信プロトコルとの間で相互に通信プロトコルの変換を行うことにより前記センタサーバと前記遠隔監視制御装置との間の通信を可能とする前記集合住宅に配置されるゲートウェイ装置とを備える集合住宅向けの遠隔監視制御システムにおいて、
前記遠隔監視制御装置は、
該遠隔監視制御装置を識別し特定する識別子を予め記憶する第１記憶部と、
前記第１記憶部の識別子と前記第２ネットワークにおける通信に使用するネットワーク層の通信アドレスの配布を要求する旨の情報とを収容する配布要求信号を前記ゲートウェイ装置に送信することによって該通信アドレスを取得し設定するアドレス取得処理部とを備え、
前記ゲートウェイ装置は、
前記遠隔監視制御装置から前記配布要求信号を受信した場合に該配布要求信号を前記センタサーバに転送すると共に、該配布要求信号に収容されている識別子に対応する通信アドレスを収容する提供信号が該センタサーバから返信された場合に該提供信号を該遠隔監視制御装置に返信するアドレス配布処理部を備え、
前記センタサーバは、
前記識別子と前記通信アドレスとの対応関係を示すアドレスリストを予め記憶する第２記憶部と、
前記ゲートウェイ装置が転送した前記配布要求信号を受信した場合に、前記第２記憶部のアドレスリストから取り出した、該配布要求信号に収容されている前記識別子に対応する通信アドレスを収容する前記提供信号を該ゲートウェイ装置に返信するアドレス提供処理部とを備えること
を特徴とする集合住宅向けの遠隔監視制御システム。
【請求項３】
前記遠隔監視制御装置は、
該遠隔監視制御装置が配置された前記集合住宅の住戸の室番号を入力するための室番号入力部をさらに備え、
前記アドレス取得処理部は、前記室番号入力部に入力された室番号を前記配布要求信号にさらに収容し、
前記センタサーバは、
前記配布要求信号に収容されている識別子及び室番号と、前記アドレスリストの識別子及び通信アドレスとに基づいて該室番号と該通信アドレスとの対応関係を示す室番号リストを作成して該室番号リストを前記第２記憶部にさらに記憶する室番号リスト作成処理部をさらに備えること
を特徴とする請求項２に記載の集合住宅向けの遠隔監視制御システム。
【請求項４】
集合住宅の住戸に配置され、機器の動作を監視及び／又は制御すると共に監視結果及び／又は制御結果として前記機器の動作状態を示す状態信号を送信する遠隔監視制御装置と、
前記機器の動作状態を要求する要求信号を前記遠隔監視制御装置に送信することによる前記機器の動作の監視及び／又は前記機器の動作を制御する制御信号を前記遠隔監視制御装置に送信することによる前記機器の動作の制御を行うセンタサーバと、
前記センタサーバが接続する第１ネットワークにおける第１通信プロトコルと前記遠隔監視制御装置が接続する第２ネットワークにおける第２通信プロトコルとの間で相互に通信プロトコルの変換を行うことにより前記センタサーバと前記遠隔監視制御装置との間の通信を可能とする前記集合住宅に配置されるゲートウェイ装置とを備える集合住宅向けの遠隔監視制御システムにおいて、
前記遠隔監視制御装置は、
該遠隔監視制御装置を識別し特定する識別子を予め記憶する第１記憶部と、
前記識別子と前記第２ネットワークにおける通信に使用するネットワーク層の通信アドレスとを収容する配布信号を受信した場合に、該配布信号が自機宛てであるか否かを判別して自機宛てである場合には該配布信号に収容されている通信アドレスを取得し設定するアドレス取得処理部とを備え、
前記センタサーバは、
前記識別子と前記通信アドレスとの対応関係を示すアドレスリストを予め記憶する第２記憶部と、
前記第２記憶部のアドレスリストを後記第２アドレス配布装置に提供するアドレス提供処理部とを備え、
前記センタサーバから前記アドレスリストの提供を受けると共に、該アドレスリストから取り出した識別子と該識別子に対応する通信アドレスを収容する前記配布信号を前記第２ネットワークに同報通信で送信する第２アドレス配布装置をさらに備えること
を特徴とする集合住宅向けの遠隔監視制御システム。
【請求項５】
前記第１又は第２アドレス配布装置は、前記ゲートウェイ装置に組み込まれていること
を特徴とする請求項１又は請求項４に記載の集合住宅向けの遠隔監視制御システム。
【請求項６】
集合住宅の住戸に配置され、機器の動作を監視及び／又は制御すると共に監視結果及び／又は制御結果として前記機器の動作状態を示す状態信号を送信する遠隔監視制御装置と、
前記機器の動作状態を要求する要求信号を前記遠隔監視制御装置に送信することによる前記機器の動作の監視及び／又は前記機器の動作を制御する制御信号を前記遠隔監視制御装置に送信することによる前記機器の動作の制御を行うセンタサーバと、
前記センタサーバが接続する第１ネットワークにおける第１通信プロトコルと前記遠隔監視制御装置が接続する第２ネットワークにおける第２通信プロトコルとの間で相互に通信プロトコルの変換を行うことにより前記センタサーバと前記遠隔監視制御装置との間の通信を可能とする前記集合住宅に配置されるゲートウェイ装置とを備える集合住宅向けの遠隔監視制御システムにおいて、
前記遠隔監視制御装置は、
該遠隔監視制御装置を識別し特定する識別子を予め記憶する第１記憶部を備え、
前記センタサーバは、
前記識別子と前記第２ネットワークにおける通信に使用するネットワーク層の通信アドレスとの対応関係を示すアドレスリストを予め記憶する第２記憶部と、
前記第２記憶部のアドレスリストを後記アドレス設定装置に提供するアドレス提供処理部とを備え、
前記遠隔監視制御装置に接続され、該遠隔監視制御装置から前記第１記憶部における識別子の提供と前記センタサーバから前記第２記憶部におけるアドレスリストの提供とを受けると共に、該アドレスリストから取り出した該識別子に対応する通信アドレスを該遠隔監視制御装置の通信アドレスとして該遠隔監視制御装置に設定するアドレス設定装置を備えること
を特徴とする集合住宅向けの遠隔監視制御システム。
【請求項７】
集合住宅の住戸に配置され、機器の動作を監視及び／又は制御すると共に監視結果及び／又は制御結果として前記機器の動作状態を示す状態信号を送信し、自機を識別し特定する識別子を予め記憶する遠隔監視制御装置と、
前記機器の動作状態を要求する要求信号を前記遠隔監視制御装置に送信することによる前記機器の動作の監視及び／又は前記機器の動作を制御する制御信号を前記遠隔監視制御装置に送信することによる前記機器の動作の制御を行うと共に、前記遠隔監視制御装置の識別子と後記第２ネットワークにおける通信に使用するネットワーク層の通信アドレスとの対応関係を示すアドレスリストを予め記憶するセンタサーバと、
前記センタサーバが接続する第１ネットワークにおける第１通信プロトコルと前記遠隔監視制御装置が接続する第２ネットワークにおける第２通信プロトコルとの間で相互に通信プロトコルの変換を行うことにより前記センタサーバと前記遠隔監視制御装置との間の通信を可能とする前記集合住宅に配置されるゲートウェイ装置とを備える集合住宅向けの遠隔監視制御システムに用いられ、前記通信アドレスを前記遠隔監視制御装置に配布するアドレス配布装置において、
前記センタサーバから前記アドレスリストの提供を受けると共に、前記遠隔監視制御装置に記憶されている識別子と前記通信アドレスの配布を要求する旨の情報とを収容する配布要求信号を該遠隔監視制御装置から受信した場合に、前記アドレスリストから取り出した、該配布要求信号に収容されている識別子に対応する通信アドレスを収容する配布信号を該遠隔監視制御装置に返信する第１アドレス配布処理部を備えること
を特徴とするアドレス配布装置。
【請求項８】
集合住宅の住戸に配置され、機器の動作を監視及び／又は制御すると共に監視結果及び／又は制御結果として前記機器の動作状態を示す状態信号を送信し、自機を識別し特定する識別子を予め記憶する遠隔監視制御装置と、
前記機器の動作状態を要求する要求信号を前記遠隔監視制御装置に送信することによる前記機器の動作の監視及び／又は前記機器の動作を制御する制御信号を前記遠隔監視制御装置に送信することによる前記機器の動作の制御を行うと共に、前記遠隔監視制御装置の識別子と後記第２ネットワークにおける通信に使用するネットワーク層の通信アドレスとの対応関係を示すアドレスリストを予め記憶するセンタサーバと、
前記センタサーバが接続する第１ネットワークにおける第１通信プロトコルと前記遠隔監視制御装置が接続する第２ネットワークにおける第２通信プロトコルとの間で相互に通信プロトコルの変換を行うことにより前記センタサーバと前記遠隔監視制御装置との間の通信を可能とする前記集合住宅に配置されるゲートウェイ装置とを備える集合住宅向けの遠隔監視制御システムに用いられ、前記通信アドレスを前記遠隔監視制御装置に配布するアドレス配布装置において、
前記センタサーバから前記アドレスリストの提供を受けると共に、該アドレスリストから取り出した識別子と該識別子に対応する通信アドレスを収容する前記配布信号を前記第２ネットワークに同報通信で送信する第２アドレス配布処理部を備えること
を特徴とするアドレス配布装置。
【発明の詳細な説明】
【技術分野】
【０００１】
本発明は、集合住宅向けの遠隔監視制御システム及びこの遠隔監視制御システムに用いられるアドレス配布装置に関する。
【背景技術】
【０００２】
戸建て住宅、マンションやアパート等の集合住宅、庁舎、ホール、商業ビル、オフィスビル及び工場等の建物には、照明機器、空調機器、計測機器及び防犯機器等の様々な機器が設置されている。近年では、通信技術等の進展により、これら機器は、有線又は無線の伝送路によって相互に通信可能に接続されることによってネットワーク化され、遠隔監視制御装置がこのネットワークに接続されることで、これら機器は、集中的に監視及び／又は制御されるようになっている。
【０００３】
さらに近年では、インターネットに関する技術の発達及び普及により、遠隔監視制御装置がインターネットを介してセンタサーバに接続され、ウェブブラウザやメーラ等のインターネットで利用されるアプリケーションソフトを備えた通信端末を用いて、この通信端末からの要求に応じてセンタサーバが機器の動作状態を要求する要求信号をインターネットを介して遠隔監視制御装置に送信することによって機器の動作状態を取得して通信端末に機器の動作状態を通知することや、この通信端末からの要求に応じて機器の動作を制御する制御信号をインターネットを介して遠隔監視制御装置に送信することによって機器の動作を制御することも可能となっている。
【０００４】
特に、最近では、入居開始時から入居者がインターネットを利用することができることをセールスポイントとするインターネットマンションと呼ばれるマンションがある。このようなインターネットマンションでは、各住戸に当該住戸内の機器を集中的に監視及び／又は制御する宅内の遠隔監視制御装置がそれぞれ配置され、これら複数の遠隔監視制御装置が有線又は無線の伝送路によって相互に通信可能に接続されることでローカル・エリア・ネットワークが形成される。そして、通信プロトコルを相互に変換するゲートウェイ装置がローカル・エリア・ネットワークとインターネットとの間に介在することでセンタサーバと遠隔監視制御装置との間の相互通信が可能とされ、通信端末から住戸内の機器を遠隔に監視及び／又は制御を行うサービスが提供されるようになっている（例えば、特許文献１又は特許文献２を参照）。
【０００５】
このようなサービスを提供するためには、遠隔監視制御装置にＩＰアドレスのようなネットワーク層の通信アドレスを設定する必要があり、通常、施工者等のユーザが通信アドレスを設定するツールであるアドレス設定装置を遠隔監視制御装置に接続して手入力によって設定していた。
【特許文献１】特開２００３−３０９５８０号公報
【特許文献２】特開２００３−３０９６６２号公報
【発明の開示】
【発明が解決しようとする課題】
【０００６】
ところで、ネットワーク層の通信アドレスを手入力によって遠隔監視制御装置に設定していたため、その操作が煩雑で手間がかかり、また、入力ミスの可能性を排除できないという不都合がある。特に、集合住宅の住戸数が多数である場合には、重大な不都合となる。また、アドレス設定装置により通信アドレスを遠隔監視制御装置に設定する場合では、その操作に一定のスキルが施工者等のユーザに要求されるという不都合もある。
【０００７】
また、通信端末がインターネットに接続を開始する際に動的にＩＰアドレスを割り当てその接続を終了する際にＩＰアドレスを回収するＤＨＣＰ（Dynamic Host Configuration Protocol）があるが、遠隔監視制御装置のＩＰアドレスが動的に変化すると、センタサーバに記憶されている遠隔監視制御装置のＩＰアドレスもそれに合わせて変更する必要が生じ、現実的ではない。
【０００８】
本発明は、上述の事情に鑑みて為された発明であり、ＤＨＣＰによることなくネットワーク層の通信アドレスを遠隔監視制御装置に自動的に割り当てることができる集合住宅向けの遠隔監視制御システム及びこの遠隔監視制御システムに用いられるアドレス配布装置を提供することを目的とする。
【課題を解決するための手段】
【０００９】
上述の目的を達成するために、本発明の一態様に係る、集合住宅の住戸に配置され、機器の動作を監視及び／又は制御すると共に監視結果及び／又は制御結果として前記機器の動作状態を示す状態信号を送信する遠隔監視制御装置と、前記機器の動作状態を要求する要求信号を前記遠隔監視制御装置に送信することによる前記機器の動作の監視及び／又は前記機器の動作を制御する制御信号を前記遠隔監視制御装置に送信することによる前記機器の動作の制御を行うセンタサーバと、前記センタサーバが接続する第１ネットワークにおける第１通信プロトコルと前記遠隔監視制御装置が接続する第２ネットワークにおける第２通信プロトコルとの間で相互に通信プロトコルの変換を行うことにより前記センタサーバと前記遠隔監視制御装置との間の通信を可能とする前記集合住宅に配置されるゲートウェイ装置とを備える集合住宅向けの遠隔監視制御システムにおいて、前記遠隔監視制御装置は、該遠隔監視制御装置を識別し特定する識別子を予め記憶する第１記憶部と、前記第１記憶部の識別子と前記第２ネットワークにおける通信に使用するネットワーク層の通信アドレスの配布を要求する旨の情報とを収容する配布要求信号を後記第１アドレス配布装置に送信することによって該通信アドレスを取得し設定するアドレス取得処理部とを備え、前記センタサーバは、前記識別子と前記通信アドレスとの対応関係を示すアドレスリストを予め記憶する第２記憶部と、前記第２記憶部のアドレスリストを後記第１アドレス配布装置に提供するアドレス提供処理部とを備え、前記センタサーバから前記アドレスリストの提供を受けると共に、前記遠隔監視制御装置から前記配布要求信号を受信した場合に、前記アドレスリストから取り出した、該配布要求信号に収容されている識別子に対応する通信アドレスを収容する配布信号を該遠隔監視制御装置に返信する第１アドレス配布装置をさらに備えることを特徴とする。
【００１０】
そして、本発明の他の一態様に係る、集合住宅の住戸に配置され、機器の動作を監視及び／又は制御すると共に監視結果及び／又は制御結果として前記機器の動作状態を示す状態信号を送信する遠隔監視制御装置と、前記機器の動作状態を要求する要求信号を前記遠隔監視制御装置に送信することによる前記機器の動作の監視及び／又は前記機器の動作を制御する制御信号を前記遠隔監視制御装置に送信することによる前記機器の動作の制御を行うセンタサーバと、前記センタサーバが接続する第１ネットワークにおける第１通信プロトコルと前記遠隔監視制御装置が接続する第２ネットワークにおける第２通信プロトコルとの間で相互に通信プロトコルの変換を行うことにより前記センタサーバと前記遠隔監視制御装置との間の通信を可能とする前記集合住宅に配置されるゲートウェイ装置とを備える集合住宅向けの遠隔監視制御システムにおいて、前記遠隔監視制御装置は、該遠隔監視制御装置を識別し特定する識別子を予め記憶する第１記憶部と、前記第１記憶部の識別子と前記第２ネットワークにおける通信に使用するネットワーク層の通信アドレスの配布を要求する旨の情報とを収容する配布要求信号を前記ゲートウェイ装置に送信することによって該通信アドレスを取得し設定するアドレス取得処理部とを備え、前記ゲートウェイ装置は、前記遠隔監視制御装置から前記配布要求信号を受信した場合に該配布要求信号を前記センタサーバに転送すると共に、該配布要求信号に収容されている識別子に対応する通信アドレスを収容する提供信号が該センタサーバから返信された場合に該提供信号を該遠隔監視制御装置に返信するアドレス配布処理部を備え、前記センタサーバは、前記識別子と前記通信アドレスとの対応関係を示すアドレスリストを予め記憶する第２記憶部と、前記ゲートウェイ装置が転送した前記配布要求信号を受信した場合に、前記第２記憶部のアドレスリストから取り出した、該配布要求信号に収容されている前記識別子に対応する通信アドレスを収容する前記提供信号を該ゲートウェイ装置に返信するアドレス提供処理部とを備えることを特徴とする。
【００１１】
また、上述の集合住宅向けの遠隔監視制御システムにおいて、前記遠隔監視制御装置は、該遠隔監視制御装置が配置された前記集合住宅の住戸の室番号を入力するための室番号入力部をさらに備え、前記アドレス取得処理部は、前記室番号入力部に入力された室番号を前記配布要求信号にさらに収容し、前記センタサーバは、前記配布要求信号に収容されている識別子及び室番号と、前記アドレスリストの識別子及び通信アドレスとに基づいて該室番号と該通信アドレスとの対応関係を示す室番号リストを作成して該室番号リストを前記第２記憶部にさらに記憶する室番号リスト作成処理部をさらに備えることを特徴とする。
【００１２】
さらに、本発明の他の一態様に係る、集合住宅の住戸に配置され、機器の動作を監視及び／又は制御すると共に監視結果及び／又は制御結果として前記機器の動作状態を示す状態信号を送信する遠隔監視制御装置と、前記機器の動作状態を要求する要求信号を前記遠隔監視制御装置に送信することによる前記機器の動作の監視及び／又は前記機器の動作を制御する制御信号を前記遠隔監視制御装置に送信することによる前記機器の動作の制御を行うセンタサーバと、前記センタサーバが接続する第１ネットワークにおける第１通信プロトコルと前記遠隔監視制御装置が接続する第２ネットワークにおける第２通信プロトコルとの間で相互に通信プロトコルの変換を行うことにより前記センタサーバと前記遠隔監視制御装置との間の通信を可能とする前記集合住宅に配置されるゲートウェイ装置とを備える集合住宅向けの遠隔監視制御システムにおいて、前記遠隔監視制御装置は、該遠隔監視制御装置を識別し特定する識別子を予め記憶する第１記憶部と、前記識別子と前記第２ネットワークにおける通信に使用するネットワーク層の通信アドレスとを収容する配布信号を受信した場合に、該配布信号が自機宛てであるか否かを判別して自機宛てである場合には該配布信号に収容されている通信アドレスを取得し設定するアドレス取得処理部とを備え、前記センタサーバは、前記識別子と前記通信アドレスとの対応関係を示すアドレスリストを予め記憶する第２記憶部と、前記第２記憶部のアドレスリストを後記第２アドレス配布装置に提供するアドレス提供処理部とを備え、前記センタサーバから前記アドレスリストの提供を受けると共に、該アドレスリストから取り出した識別子と該識別子に対応する通信アドレスを収容する前記配布信号を前記第２ネットワークに同報通信で送信する第２アドレス配布装置をさらに備えることを特徴とする。
【００１３】
そして、これら上述の集合住宅向けの遠隔監視制御システムにおいて、前記第１又は第２アドレス配布装置は、前記ゲートウェイ装置に組み込まれていることを特徴とする。
【００１４】
また、本発明の他の一態様に係る、集合住宅の住戸に配置され、機器の動作を監視及び／又は制御すると共に監視結果及び／又は制御結果として前記機器の動作状態を示す状態信号を送信する遠隔監視制御装置と、前記機器の動作状態を要求する要求信号を前記遠隔監視制御装置に送信することによる前記機器の動作の監視及び／又は前記機器の動作を制御する制御信号を前記遠隔監視制御装置に送信することによる前記機器の動作の制御を行うセンタサーバと、前記センタサーバが接続する第１ネットワークにおける第１通信プロトコルと前記遠隔監視制御装置が接続する第２ネットワークにおける第２通信プロトコルとの間で相互に通信プロトコルの変換を行うことにより前記センタサーバと前記遠隔監視制御装置との間の通信を可能とする前記集合住宅に配置されるゲートウェイ装置とを備える集合住宅向けの遠隔監視制御システムにおいて、前記遠隔監視制御装置は、該遠隔監視制御装置を識別し特定する識別子を予め記憶する第１記憶部を備え、前記センタサーバは、前記識別子と前記第２ネットワークにおける通信に使用するネットワーク層の通信アドレスとの対応関係を示すアドレスリストを予め記憶する第２記憶部と、前記第２記憶部のアドレスリストを後記アドレス設定装置に提供するアドレス提供処理部とを備え、前記遠隔監視制御装置に接続され、該遠隔監視制御装置から前記第１記憶部における識別子の提供と前記センタサーバから前記第２記憶部におけるアドレスリストの提供とを受けると共に、該アドレスリストから取り出した該識別子に対応する通信アドレスを該遠隔監視制御装置の通信アドレスとして該遠隔監視制御装置に設定するアドレス設定装置を備えることを特徴とする。
【００１５】
さらに、本発明の他の一態様に係る、集合住宅の住戸に配置され、機器の動作を監視及び／又は制御すると共に監視結果及び／又は制御結果として前記機器の動作状態を示す状態信号を送信し、自機を識別し特定する識別子を予め記憶する遠隔監視制御装置と、前記機器の動作状態を要求する要求信号を前記遠隔監視制御装置に送信することによる前記機器の動作の監視及び／又は前記機器の動作を制御する制御信号を前記遠隔監視制御装置に送信することによる前記機器の動作の制御を行うと共に、前記遠隔監視制御装置の識別子と後記第２ネットワークにおける通信に使用するネットワーク層の通信アドレスとの対応関係を示すアドレスリストを予め記憶するセンタサーバと、前記センタサーバが接続する第１ネットワークにおける第１通信プロトコルと前記遠隔監視制御装置が接続する第２ネットワークにおける第２通信プロトコルとの間で相互に通信プロトコルの変換を行うことにより前記センタサーバと前記遠隔監視制御装置との間の通信を可能とする前記集合住宅に配置されるゲートウェイ装置とを備える集合住宅向けの遠隔監視制御システムに用いられ、前記通信アドレスを前記遠隔監視制御装置に配布するアドレス配布装置において、前記センタサーバから前記アドレスリストの提供を受けると共に、前記遠隔監視制御装置に記憶されている識別子と前記通信アドレスの配布を要求する旨の情報とを収容する配布要求信号を該遠隔監視制御装置から受信した場合に、前記アドレスリストから取り出した、該配布要求信号に収容されている識別子に対応する通信アドレスを収容する配布信号を該遠隔監視制御装置に返信する第１アドレス配布処理部を備えることを特徴とする。
【００１６】
また、本発明の他の一態様に係る、  集合住宅の住戸に配置され、機器の動作を監視及び／又は制御すると共に監視結果及び／又は制御結果として前記機器の動作状態を示す状態信号を送信し、自機を識別し特定する識別子を予め記憶する遠隔監視制御装置と、前記機器の動作状態を要求する要求信号を前記遠隔監視制御装置に送信することによる前記機器の動作の監視及び／又は前記機器の動作を制御する制御信号を前記遠隔監視制御装置に送信することによる前記機器の動作の制御を行うと共に、前記遠隔監視制御装置の識別子と後記第２ネットワークにおける通信に使用するネットワーク層の通信アドレスとの対応関係を示すアドレスリストを予め記憶するセンタサーバと、前記センタサーバが接続する第１ネットワークにおける第１通信プロトコルと前記遠隔監視制御装置が接続する第２ネットワークにおける第２通信プロトコルとの間で相互に通信プロトコルの変換を行うことにより前記センタサーバと前記遠隔監視制御装置との間の通信を可能とする前記集合住宅に配置されるゲートウェイ装置とを備える集合住宅向けの遠隔監視制御システムに用いられ、前記通信アドレスを前記遠隔監視制御装置に配布するアドレス配布装置において、前記センタサーバから前記アドレスリストの提供を受けると共に、該アドレスリストから取り出した識別子と該識別子に対応する通信アドレスを収容する前記配布信号を前記第２ネットワークに同報通信で送信する第２アドレス配布処理部を備えることを特徴とする。
【発明の効果】
【００１７】
このような構成の遠隔監視制御システム及びアドレス配布装置では、遠隔監視制御装置を識別し特定する識別子と第２ネットワークにおける通信に使用するネットワーク層の通信アドレスとの対応関係を示すアドレスリストが予めセンタサーバに記憶され、遠隔監視制御装置に予め記憶されている上記識別子に基づいて、センタサーバがアドレス配布装置若しくはアドレス設定装置を介して又は直接的に遠隔監視制御装置に配布するので、ＤＨＣＰによることなくネットワーク層の通信アドレスを遠隔監視制御装置に自動的に割り当てることができる。このため、ネットワーク層の通信アドレスを遠隔監視制御装置に手入力する必要がなく、手間が省力され、また、入力ミスも排除することができ、また、入力のための一定のスキルが施工者等のユーザに要求されない。
【発明を実施するための最良の形態】
【００１８】
以下、本発明に係る実施形態を図面に基づいて説明する。なお、各図において同一の符号を付した構成は、同一の構成であることを示し、その説明を省略する。
（第１の実施形態の構成）
図１は、遠隔監視制御システムの構成を示す図である。図２は、遠隔監視制御システムにおけるセンタサーバの構成及びその記憶内容を示す図である。図２（Ａ）は、遠隔監視制御システムの構成を示し、図２（Ｂ）は、アドレスリストの構成を示し、そして、図２（Ｃ）は、室番号リストの構成を示す図である。図３は、遠隔監視制御システムにおけるゲートウェイ装置の構成を示す図である。図４は、遠隔監視制御システムにおける遠隔監視制御装置の構成を示す図である。
【００１９】
図１において、遠隔監視制御システム１ａは、センタサーバ１１ａと、センタサーバ１１ａに相互に通信可能に接続されているＶＰＮ（Virtual Private Network、仮想専用線又は仮想私設網）装置２１と、ＶＰＮ装置２１に相互に通信可能に接続されているインターネット２２と、ＶＰＮ装置２１に相互に通信可能に接続されマンション（集合住宅）Ｍの共用部に配設されるマンション共用システム２と、マンション共用システム２に相互に通信可能に接続されマンションＭの各住戸に配設される宅内遠隔監視制御システム３（３−１０１、３−１０２、・・・）と、監視制御端末２９とを備えて構成される。
【００２０】
ここで、本明細書において、総称する場合には添え字を省略した参照符号で示し、個別の構成を指す場合には添え字を付した参照符号で示す。
【００２１】
ＶＰＮ装置２１は、主にトンネリング技術及び暗号化技術を利用することによってインターネット２２を介して通信を行うセンタサーバ１１とゲートウェイ装置１２との間を専用線のように接続する装置である。インターネット２２は、ＨＴＴＰ（Hyper Text Transfer Protocol）、ＦＴＰ（File Transfer Protocol）及びＴＣＰ／ＩＰ（Transmission Control Protocol/Internet Protocol）等の所謂インターネットプロトコル群が用いられた例えば、電話網、ディジタル通信網及び無線通信網等のネットワークである。インターネット２２は、請求項における第１ネットワークの一例である。監視制御端末２９は、住戸内に配置されている各機器の動作状態を監視及び／又は制御するべくコマンド（命令）を受付けて当該コマンドを収容する通信信号をセンタサーバ１１ａに送信すると共に、当該コマンドに応じた結果を収容する通信信号をセンタサーバ１１ａから受信して当該結果を表示する通信端末である。監視制御端末２９は、例えば、携帯電話、ＰＤＡ（Personal Digital Assistants）及びノート型パーソナルコンピュータ等の携帯可能なコンピュータであり、コマンドの入力方法及び結果の表示方法等に応じてウェブブラウザあるいはメーラ等のインターネットで利用される一般的なアプリケーションソフトを備える。
【００２２】
センタサーバ１１ａは、宅内遠隔監視制御システム３に関する情報及びマンション共用システム２に関する情報を管理するサーバコンピュータであり、例えば、監視制御端末２９から受信した通信信号に応じて機器の動作状態を要求する通信信号（要求信号）を宅内遠隔監視制御システム３又はマンション供用システム２に送信することで機器の動作を監視し監視結果として機器の動作状態を監視制御端末２９に送信したり、監視制御端末２９から受信した通信信号に応じて機器の動作を制御する通信信号（制御信号）を宅内遠隔監視制御システム３に送信することで機器の動作を制御し制御結果として機器の動作状態を監視制御端末２９に送信したりする。そして、注目すべきは、第１の実施形態では、センタサーバ１１ａは、マンション共用システム２内のゲートウェイ装置（以下、「ＧＷ装置」と略記する。）１２ａからの要求に応じて、宅内遠隔監視制御システム３内の遠隔監視制御装置１３ａを識別し特定する識別子である機器ＩＤと、マンションＭ内のローカル・エリア・ネットワーク（以下、「ＬＡＮ」と略記する。）における通信に使用するネットワーク層の通信アドレスとの対応関係を示すアドレスリストをＧＷ装置１２ａに送信する。このようなセンタサーバ１１ａは、例えば、図２（Ａ）に示すように、中央処理部１０１ａと、内部記憶部１０２ａと、通信インタフェース部１０３ａと、入力部１０４ａと、出力部１０５ａと、補助記憶部１０６ａと、バス１０７ａとを備えて構成される。
【００２３】
内部記憶部１０２ａは、中央処理部１０１ａが実行する各種プログラムを補助記憶部１０６ａから読み込むと共に、各種プログラム実行中の各データを一時的に記憶する所謂ワーキングメモリであり、例えば揮発性の記憶素子であるＲＡＭ（Random Access Memory）を備えて構成される。通信インタフェース部１０３ａは、ＶＰＮ装置２１に接続され、ＶＰＮ装置２１及びインターネット２２を介してマンション共用システム２及び宅内遠隔監視制御システム３との間で通信信号を送受信するためのインタフェース回路であり、中央処理部１０１ａからのデータからインターネット２２の通信プロトコルに従った通信信号を生成すると共にインターネット２２からの通信信号を中央処理部１０１ａが処理可能な形式のデータに変換する。通信インタフェース部１０３ａは、例えば、イーサネットカード、５６Ｋモデム、ターミナルアダプタ、ＡＤＳＬモデム等である。入力部１０４ａは、センタサーバ１１ａを操作するコマンド等の各種コマンド、及び、センタサーバ１１ａに蓄積すべきデータ等の各種データをセンタサーバ１１ａに入力する機器であり、例えば、キーボードやマウス等である。出力部１０５ａは、入力部１０４ａから入力されたコマンドやデータ等を出力する機器であり、例えばＣＲＴディスプレイ、ＬＣＤ、有機ＥＬディスプレイ又はプラズマディスプレイ等の表示装置やプリンタ等の印字装置等である。
【００２４】
補助記憶部１０６ａは、機能的に、アドレスリストを記憶するアドレスリスト記憶部１２１ａと、室番号リストを記憶する室番号リスト記憶部１２２ａを備え、ＧＷ装置１２ａからの要求に応じてアドレスリストをＧＷ装置１２ａに提供するアドレスリスト提供処理を実行するアドレスリスト提供処理プログラム等の各種プログラム、及び、各種プログラムの実行に必要な情報等の各種情報を記憶する。補助記憶部１０６ａは、例えば、ＲＯＭ（Read Only Memory）及びＥＥＰＲＯＭ（Electrically Erasable Programmable Read Only Memory）等の不揮発性の記憶素子や、ハードディスク等の記憶装置である。
【００２５】
アドレスリストは、遠隔監視制御装置１３ａを識別し特定するための識別子である機器ＩＤ（Identification）とマンションＭ内のＬＡＮにおける通信に使用するネットワーク層の通信アドレスとの対応関係を示すリストであり、アドレスリストは、総ての遠隔監視制御装置１３ａに対して作成されてもよく、当該物件向けに販売された遠隔監視制御装置１３ａごとに作成されてもよい。本実施形態のようにアドレスリストが当該物件向けに販売された遠隔監視制御装置１３ａごとに用意される場合には、アドレスリストを識別し特定するために例えば物件名等の識別子が付される。機器ＩＤは、遠隔監視制御装置１３ａごとに異なれば、任意の１又は複数の記号列でよいが、例えば、本実施形態では、ネットワークカードに通常記憶されていることから、ＭＡＣアドレスが利用される。また、ネットワーク層の通信アドレスは、本実施形態では、マンションＭ内のＬＡＮがイントラネットを構成するので、ＩＰアドレスが利用され、特にＩＰアドレスの資源を有効に活用する観点からプライベートＩＰアドレスが利用される。なお、通信アドレスは、グローバルＩＰアドレスでもよく、特にＩＰバージョン６では、ＩＰアドレスの枯渇が問題とならないので、マンションＭ内のＬＡＮとインターネット２２とにおいて共通に使用すべくグローバルＩＰアドレスでもよい。アドレスリスト１３１は、例えば、本実施形態では図２（Ｂ）に示すように、機器ＩＤを登録する機器ＩＤフィールド１３１１、及び、ネットワーク層の通信アドレスであるＩＰアドレスを登録するＩＰアドレスフィールド１３１２の各フィールドを備え、機器ＩＤごとにレコードが作成されるテーブルである。
【００２６】
室番号リストは、マンションＭを構成する各住戸を識別し特定するための識別子である例えば１０１号や１０２号等の如き室番号とマンションＭ内のＬＡＮにおける通信に使用するネットワーク層の通信アドレスとの対応関係を示すリストである。室番号リスト１３２は、例えば、本実施形態では図２（Ｃ）に示すように、室番号を登録する室番号フィールド１３２１、及び、ネットワーク層の通信アドレスであるＩＰアドレスを登録するＩＰアドレスフィールド１３２２の各フィールドを備え、室番号ごとにレコードが作成されるテーブルである。
【００２７】
中央処理部１０１ａは、例えば、マイクロプロセッサ及びその周辺回路等を備えて構成され、機能的に、アドレスリスト提供処理を実行するアドレス提供処理部１１１ａ、及び、室番号リストを作成する室番号リスト作成処理を実行する室番号リスト作成処理部１１２ａを備えると共に、各種プログラムに従い内部記憶部１０２ａ、通信インタフェース部１０３ａ、入力部１０４ａ、出力部１０５ａ及び補助記憶部１０６ａを当該機能に応じてそれぞれ制御する。
【００２８】
そして、これら中央処理部１０１ａ、内部記憶部１０２ａ、通信インタフェース部１０３ａ、入力部１０４ａ、出力部１０５ａ及び補助記憶部１０６ａは、データを相互に交換することができるようにバス１０７ａにそれぞれ接続される。
【００２９】
なお、必要に応じてセンタサーバ１１ａは、図２（Ａ）に破線で示す外部記憶部１０８ａをさらに備えてもよい。外部記憶部１０８ａは、例えば、フレキシブルディスク、ＣＤ−ＲＯＭ（Compact Disc Read Only Memory）、ＣＤ−Ｒ（Compact Disc Recordable）及びＤＶＤ−Ｒ（Digital Versatile Disc Recordable）等の記録媒体との間でデータを読み込み及び／又は書き込みを行う装置であり、例えば、フレキシブルディスクドライブ、ＣＤ−ＲＯＭドライブ、ＣＤ−Ｒドライブ及びＤＶＤ−Ｒドライブ等である。通信インターフェース部１０３ａは、ネットワークに接続され、ネットワークを介して他のサーバやクライアント等との間で通信信号を送受信するための機器である。各プログラムが格納されていない場合には、これらを記録した記録媒体から外部記憶部１０８ａを介して補助記憶部１０６ａにインストールされるように構成してもよい。
【００３０】
マンション共用システム２は、マンションＭにおいて共同で使用される設備であり、各宅内遠隔監視制御システム３をインターネット２２に接続するための諸設備を備えて構成される。図１に示す例では、マンション共用システム２は、インターネット２２に相互に通信可能に接続されているルータ装置２３と、ルータ装置２３に相互に通信可能に接続されているスイッチイングハブ（以下、「ＳＷ−ＨＵＢ」と略記する。）２４と、ＳＷ−ＨＵＢ２４に相互に通信可能に接続されているＶＰＮ装置２５、ＶＰＮ装置２５に相互に通信可能に接続されているハブ２６、ハブ２６に相互に通信可能に接続されているゲートウェイ装置（以下、「ＧＷ装置」と略記する。）１２ａと、ＧＷ装置１２ａに相互に通信可能に接続されているゲートウェイインタフェースユニット（以下、「ＧＷ−ＩＦＵ」と略記する。）２７と、ハブ２６に相互に通信可能に接続されている画像サーバ２８とを備えて構成されている。
【００３１】
ルータ装置２３は、受信した通信パケットの送信先ＩＰアドレスとその内部に記憶されているルーティングテーブルとを照らし合わせ、通信パケットのルーティング（経路選択）を行う機器である。ＳＷ−ＨＵＢ２４は、受信した通信パケットの送信先ＭＡＣアドレスとその内部に記憶されている通信アドレステーブルとを照らし合わせ、送信先の端末装置が繋がっているポートにのみ通信パケットを送出する所謂スイッチング機能を備えたハブである。通信アドレステーブルは、ＭＡＣアドレスとポートとの対応関係を示すテーブルである。ＶＰＮ装置２５は、インターネット２２上にＶＰＮを構築する上でＶＰＮ装置２１と対向するＶＰＮ装置２１と同様の装置である。ハブ２６は、ＬＡＮにおいて通信線を放射状に配線する際にその中心に配置され、通信線を分岐、中継するための装置である。ＧＷ−ＩＦＵ２７は、ＧＷ装置１２ａとＨＡ（Home Automation）システム（不図示）との間に配置され、相互にプロトコル変換を行うことによってＧＷ装置１２ａとマンションＭの共用部３におけるＨＡシステムとの間で通信を可能にする装置である。画像サーバ２８は、ロビーや廊下等のマンションＭの共用部に設置された図略のカメラによって撮影された画像を管理するサーバコンピュータであり、撮影した画像を定期的にあるいはセンタサーバ１１ａからの要求によりセンタサーバ１１ａに送信する。
【００３２】
ＧＷ装置１２ａは、マンションＭに配置され、センタサーバ１１ａが接続するインターネット２２における通信プロトコルと宅内遠隔監視制御システム３内の遠隔監視制御装置１３ａが接続するＬＡＮにおける通信プロトコルとの間で相互に通信プロトコルの変換を行うことによりセンタサーバ１１ａと遠隔監視制御装置１３ａとの間の通信を可能とする装置である。本実施形態ではマンションＭ内のＬＡＮではプライベートＩＰアドレスが利用されるので、ＧＷ装置１２ａは、マンションＭ内のＬＡＮにおけるプライベートＩＰアドレスとインターネット２２におけるグローバルＩＰアドレスとを相互に変換する所謂ＮＡＴ（Network Address Translation）機能をさらに備える。なお、ＮＡＴ機能の代わりに、マンションＭ内のＬＡＮにおけるプライベートＩＰアドレス及びＴＣＰのポート番号とインターネット２２におけるグローバルＩＰアドレス及びＴＣＰのポート番号とを相互に変換する所謂ＮＡＰＴ（Network Address Port Translation）機能を備えてもよい。そして、注目すべきは、第１の実施形態では、ＧＷ装置１２ａは、センタサーバ１１ａからアドレスリストの提供を受けると共に、遠隔監視制御装置１３ａからアドレス配布要求信号を受信した場合に、アドレスリストから取り出した、このアドレス配布要求信号に収容されている機器ＩＤに対応するネットワーク層の通信アドレス（本実施形態ではＩＰアドレス）を収容するアドレス配布信号をこの遠隔監視制御装置１３ａに返信するアドレス配布装置が組み込まれていることである。このようなＧＷ装置１２ａは、例えば、図３に示すように、第１通信インタフェース部２０１ａと、中央処理部２０２ａと、記憶部２０３ａと、第２通信インタフェース部２０４ａと、ＨＡ用インタフェース部２０５ａと、バス２０６ａとを備えて構成される。
【００３３】
第１通信インタフェース部２０１ａは、ハブ２６に接続され、ＶＰＮ装置２５、ＳＷ−ＨＵＢ２４、ルータ装置２３、インターネット２２及びＶＰＮ装置２１を介してセンタサーバ１１ａとの間で通信信号を送受信するためのインタフェース回路であり、中央処理部２０２ａからのデータからインターネット２２の通信プロトコルに従った通信信号を生成すると共にハブ２６からの通信信号を中央処理部２０２ａが処理可能な形式のデータに変換する。第１通信インタフェース部２０１ａは、例えば、イーサネットカード、５６Ｋモデム、ターミナルアダプタ、ＡＤＳＬモデム等である。第２通信インタフェース部２０４ａは、ハブ２６に接続され、ＶＰＮ装置２５及びＳＷ−ＨＵＢ２４を介して宅内遠隔監視制御システム３との間で通信信号を送受信するためのインタフェース回路であり、中央処理部２０２ａからのデータからマンションＭ内におけるＬＡＮ（イントラネット）の通信プロトコルに従った通信信号を生成すると共にハブ２６からの通信信号を中央処理部２０２ａが処理可能な形式のデータに変換する。第２通信インタフェース部２０４ａは、例えば、イーサネットカード等である。ＨＡ用インタフェース部２０５ａは、ＧＷ−ＩＦＵ２７に接続され、日本電機工業会（ＪＥＭＡ）の規格に従ってＧＷ−ＩＦＵ２７を介してマンションＭの共用部におけるＨＡシステムとの間で通信信号を送受信するためのインタフェース回路であり、中央処理部２０２ａからのデータからこのＨＡシステムの通信プロトコルに従った通信信号を生成すると共にＧＷ−ＩＦＵ２７からの通信信号を中央処理部２０２ａが処理可能な形式のデータに変換する。
【００３４】
記憶部２０３ａは、機能的に、センタサーバ１１ａから提供されたアドレスリストを記憶する提供アドレスリスト記憶部２２１ａを備え、各種プログラム、センタサーバ１１ａのネットワーク層の通信アドレス（ＩＰアドレス）及び物件名等の各種プログラムの実行に必要なデータ、及び、各種プログラムの実行中に生じるデータ等の各種データを記憶する。記憶部２０３ａは、例えば、中央処理部２０２ａの所謂ワーキングメモリとなるＲＡＭ等の揮発性の記憶素子、及び、ＲＯＭや書換え可能なＥＥＰＲＯＭ等の不揮発性の記憶素子を備えて構成される。
【００３５】
中央処理部２０２ａは、例えば、マイクロプロセッサ及びその周辺回路等を備えて構成され、機能的に、異なる複数の通信プロトコル間で相互に通信プロトコルの変換を行うゲートウェイ処理部（以下、「ＧＷ処理部」と略記する。）２１１ａ、及び、アドレスリストの提供を要求して記憶すると共に遠隔監視制御装置１３ａからの要求に応じてネットワーク層の通信アドレスを配布するアドレス配布処理を実行するアドレス配布処理部２１２ａを備えると共に、各種プログラムに従い第１及び第２通信インタフェース部２０１ａ、２０４ａ、記憶部２０３ａ及びＨＡ用インタフェース部２０５ａを当該機能に応じてそれぞれ制御する。
【００３６】
そして、これら第１及び第２通信インタフェース部２０１ａ、２０４ａ、中央処理部２０２ａ、記憶部２０３ａ及びＨＡ用インタフェース部２０５ａは、データを相互に交換することができるようにバス２０６ａにそれぞれ接続される。
【００３７】
宅内遠隔監視制御システム３は、集合住宅の各住戸に配置され、監視及び／又は制御の対象である１又は複数の機器と、通信線によって接続されている機器の監視及び／又は制御を集中的に行う遠隔監視制御装置１３ａとを備え、センタサーバ１１ａから受信した通信信号に応じて機器の動作を監視及び／又は制御すると共に監視結果及び／又は制御結果として機器の動作状態を示す通信信号（状態信号）を送信する。図１に示す宅内遠隔監視制御システム３の例では、機器の一例として、壁スイッチ３１及び照明器具３２と、ＪＥＭ−Ａ機器３４のエアコン３４−１及び給湯器３４−２とが示されている。機器は、照明器具３２、エアコン３４−１及び給湯器３４−２の他に、例えば、電気錠等の住戸設備、テレビジョン、ビデオテープレコーダ、ＤＶＤレコーダ及び洗濯機等の家電製品、コンピュータ等の情報処理装置、電話機及びファクシミリ装置等の通信機器、脈拍計、体温計、血中酸素濃度計及び心電図計等の医療機器、ガスメータ、電気メータ及び水道メータ等の計量メータ、防犯設備、防災設備、温度センサ及び湿度センサ等のセンサ等である。
【００３８】
遠隔監視制御装置１３ａは、センタサーバ１１ａから受信した通信信号に応じて住戸内に配置され通信線によって接続されている機器の動作を監視及び／又は制御すると共に監視結果及び／又は制御結果として機器の動作状態を示す状態信号を送信する装置である。遠隔監視制御装置１３ａは、本実施形態では例えば図４に示すように、中央処理部３０１ａと、記憶部３０２ａと、通信インタフェース部３０３ａと、接点入出力用インタフェース部３０４ａと、ＨＡ用インタフェース部３０５ａと、シリアルインタフェース部３０６ａと、設定スイッチ（以下、「設定ＳＷ」と略記する。）３０７ａと、バス３０８ａとを備えて構成される。
【００３９】
通信インタフェース部３０３ａは、マンションＭ内のＬＡＮを構成する通信線に接続され、この通信線を介してＧＷ装置１２ａと通信を行うためのインタフェース回路であり、中央処理部３０１ａからのデータからマンションＭ内のＬＡＮにおける通信プロトコルに従った通信信号を生成すると共にマンションＭ内のＬＡＮを構成する通信線からの通信信号を中央処理部３０１ａが処理可能な形式のデータに変換する。通信インタフェース部３０３ａは、例えば、マンションＭ内のＬＡＮがイーサネット（登録商標）を利用している場合には、イーサネットカードである。ここで、遠隔監視制御装置１３、ＳＷ−ＨＵＢ２４、ＶＰＮ装置２５、ハブ２６及びＧＷ装置１２は、マンションＭ内においてＬＡＮを構成している。このＬＡＮは、請求項における第２ネットワークの一例である。
【００４０】
接点入出力用インタフェース部３０４ａは、リレーの接点の開閉を信号線を用いて行うためのインタフェース回路であり、例えば、壁スイッチ３１内に備えられているリレーの接点を開閉する。このリレーの接点の開閉に応じて照明器具３２が消灯及び点灯する。ＨＡ用インタフェース部３０５ａは、日本電機工業会（ＪＥＭＡ）の規格に従って通信を行うためのインタフェース回路であり、中央処理部３０１ａからのデータからＪＥＭＡの規格に従った通信信号を生成すると共にＨＡ線からの通信信号を中央処理部３０１ａが処理可能な形式のデータに変換する。なお、ＨＡ線には、通信信号を増幅中継するためにＪＥＭ−Ａ・インターフェースユニット（以下、「ＪＥＭ−Ａ・ＩＦＵ」と略記する。）３３を備えてもよい。図１に示す例では、遠隔監視制御装置１３ａとＪＥＭ−Ａ機器３４のエアコン３４−１との間を接続するＨＡ線には、その間にＪＥＭ−Ａ・ＩＦＵ３３−１が介設され、遠隔監視制御装置１３ａとＪＥＭ−Ａ機器３４の給湯器３４−２との間を接続するＨＡ線には、その間にＪＥＭ−Ａ・ＩＦＵ３３−２が介設されている。シリアルインタフェース部３０６ａは、ディジタルデータを１ビット（ｂｉｔ）ずつ連続的に送信するシリアル通信を行うためのインタフェース回路であり、例えば、ＲＳ（Recommended Standard）−２３２Ｃ、ＲＳ−４８５及びＵＳＢ（Universal Serial Bus）等の規格に従った通信を行うインタフェース回路である。設定ＳＷ３０７ａは、マンションＭ内のＬＡＮにおける通信に使用するネットワーク層の通信アドレスを取得する動作の開始をこの遠隔監視制御装置１３ａに入力するためのスイッチであり、例えば、押し釦スイッチ等である。
【００４１】
記憶部３０２ａは、機能的に、機器ＩＤを記憶する機器ＩＤ記憶部３２１ａと、取得したネットワーク層の通信アドレスを記憶するアドレス記憶部３２２ａを備え、機器ＩＤを用いてネットワーク層の通信アドレスを取得するアドレス取得処理プログラム等の各種プログラム、及び、各種プログラムの実行に必要な情報や各種プログラムの実行中に生じる情報等の各種情報を記憶する。記憶部３０２ａは、例えば、中央処理部３０１ａの所謂ワーキングメモリとなるＲＡＭ（Random Access Memory）等の揮発性の記憶素子、及び、ＲＯＭや書換え可能なＥＥＰＲＯＭ等の不揮発性の記憶素子を備えて構成される。
【００４２】
中央処理部３０１ａは、例えば、マイクロプロセッサ及びその周辺回路等を備えて構成され、機能的に、センタサーバ１１ａから受信した通信信号に応じて機器の動作を制御したり、当該機器の動作状態を収集してセンタサーバ１１ａに送信したりする処理を実行する監視制御処理部３１１ａ、及び、機器ＩＤとしてのＭＡＣアドレスを用いてネットワーク層の通信アドレスを取得するアドレス取得処理部３１２ａを備えると共に、各種プログラムに従い記憶部３０２ａ、通信インタフェース部３０３ａ、接点入出力用インタフェース部３０４ａ、ＨＡ用インタフェース部３０５ａ及びシリアルインタフェース部３０６ａを当該機能に応じてそれぞれ制御する。
【００４３】
そして、これら中央処理部３０１ａ、記憶部３０２ａ、通信インタフェース部３０３ａ、接点入出力用インタフェース部３０４ａ、ＨＡ用インタフェース部３０５ａ、シリアルインタフェース部３０６ａ及び設定ＳＷ３０７ａは、データを相互に交換することができるようにバス３０８ａにそれぞれ接続される。
【００４４】
そして、センタサーバ１１ａとＧＷ装置１２ａとは、これらＶＰＮ装置２１、ネットワーク２２、ルータ装置２３、ＳＷ−ＨＵＢ２４、ＶＰＮ装置２５及びハブ２６を介して相互に通信を行う。ＧＷ装置１２ａと遠隔監視制御装置１３ａとは、これらＳＷ−ＨＵＢ２４、ＶＰＮ装置２５及びハブ２６を介して相互に通信を行う。センタサーバ１１ａと画像サーバ２８とは、これらＶＰＮ装置２１、ネットワーク２２、ルータ装置２３、ＳＷ−ＨＵＢ２４、ＶＰＮ装置２５及びハブ２６を介して相互に通信を行う。
【００４５】
次に、本実施形態の動作について説明する。
（第１の実施形態の動作）
図５は、第１の実施形態において、ＧＷ装置がセンタサーバからアドレスリストの提供を受け、ＧＷ装置が遠隔監視制御装置の要求に応じてアドレスを配布する場合における動作を示すシーケンス図である。図６は、第１の実施形態において、ＧＷ装置がセンタサーバからアドレスリストの提供を受ける場合におけるＧＷ装置及びセンタサーバの動作を示すフローチャートである。図６（Ａ）は、この場合におけるＧＷ装置の動作を示すフローチャートであり、図６（Ｂ）は、この場合におけるセンタサーバの動作を示すフローチャートである。図７は、第１の実施形態において、ＧＷ装置が遠隔監視制御装置の要求に応じてアドレスを配布する場合における遠隔監視制御装置及びＧＷ装置の動作を示すフローチャートである。図７（Ａ）は、この場合における遠隔監視制御装置の動作を示すフローチャートであり、図７（Ｂ）は、この場合におけるＧＷ装置の動作を示すフローチャートである。
【００４６】
図５及び図６において、ＧＷ装置１２ａがマンション共用システム２に組み込まれ、設定ツールや図略の入力部から物件名が入力され、そして、例えばその電源が投入されると、ＧＷ装置１２ａの中央処理部２０２ａにおけるアドレス配布処理部２１２ａは、物件名及びアドレスリストの提供を要求する旨の情報を収容するセンタサーバ１１ａ宛ての通信信号（アドレスリスト提供要求信号）を作成し、センタサーバ１１ａに向けて送信する（Ｃ１１、Ｓ１１−ＧＷ）。
【００４７】
このアドレスリスト提供要求信号を受信すると（Ｃ１２、Ｓ１１−ＣＳ）、センタサーバ１１ａの中央処理部１０１ａにおけるアドレス提供処理部１１１ａは、その補助記憶部１０６ａのアドレスリスト記憶部１２１ａに記憶されている物件名に対応するアドレスリスト１３１を取り出し、この取り出したアドレスリストを収容する、アドレスリスト提供要求信号の送信元のＧＷ装置１２ａ宛ての通信信号（アドレスリスト提供信号）を作成し、返信すべく、アドレスリスト提供要求信号の送信元のＧＷ装置１２ａに向けて送信し（Ｃ１３、Ｓ１２−ＣＳ）、処理を終了する。
【００４８】
このアドレスリスト提供信号を受信すると（Ｃ１４、Ｓ１２−ＧＷ）、ＧＷ装置１２ａの中央処理部２０２ａにおけるアドレス配布処理部２１２ａは、アドレスリスト提供信号に収容されているアドレスリスト１３１を記憶部２０３ａの提供アドレスリスト記憶部２２１ａに記憶し（Ｃ１５、Ｓ１３−ＧＷ）、処理を終了する。
【００４９】
このように動作することによってセンタサーバ１１ａに蓄積されていた当該マンションに係るアドレスリスト１３１がセンタサーバ１１ａからＧＷ装置１２ａにダウンロードされ、ＧＷ装置１２ａに保持される。
【００５０】
そして、図５及び図７において、遠隔監視制御装置１３ａがマンションＭの住戸に設置されマンションＭ内のＬＡＮに組み込まれて例えばその電源が投入されると、遠隔監視制御装置１３ａの中央処理部３０１ａにおけるアドレス取得処理部３１２ａは、設定ＳＷ３０７ａが操作されたか否かを繰り返し判断する（Ｓ２１−Ｒ）。そして、設定ＳＷ３０７ａが操作されると（Ｃ２１、Ｓ２１−ＲでＹｅｓ）、アドレス取得処理部３１２ａは、その記憶部３０２ａの機器ＩＤ記憶部３２１ａに記憶されている機器ＩＤと、通信アドレスの提供を要求する旨の情報とを収容する通信信号（アドレス配布要求信号）を作成し、マンションＭ内のＬＡＮに向けて同報通信で送信する（Ｃ２２、Ｓ２２−Ｒ）。アドレス配布要求信号を同報通信するのは、この時点では、遠隔監視制御装置１３ａには、マンションＭ内のＬＡＮにおいて固有のネットワーク層の通信アドレスが自機に割り当てられていないため、自機のネットワーク層の通信アドレスを使用することができないからである。同報通信は、ブロードキャストやマルチキャストがあるが、例えば、本実施形態ではブロードキャストが用いられる。
【００５１】
このアドレス配布要求信号を受信すると（Ｃ２３、Ｓ２１−ＧＷ）、ＧＷ装置１２ａの中央処理部２０２ａにおけるアドレス配布処理部２１２ａは、アドレス配布要求信号における送信元の遠隔監視制御装置１３ａが通信アドレスの配布を受け得る正当な権限のある製品であるか否かを判断する（Ｃ２４、Ｓ２２−ＧＷ）。この正当権限の有無の判断は、例えば、アドレス配布要求信号に収容されている機器ＩＤが記憶部２０３ａの提供アドレスリスト記憶部２２１ａに記憶されているアドレスリスト１３１に登録されているか否かを判断することによって実行され、機器ＩＤが提供アドレスリスト記憶部２２１ａのアドレスリスト１３１に登録されている場合には正当権限があると判断され、機器ＩＤが提供アドレスリスト記憶部２２１ａのアドレスリスト１３１に登録されていない場合には正当権限が無いと判断される。この判断によって所謂なりすましを防止することができる。
【００５２】
処理Ｓ２２−ＧＷにおける判断の結果、正当権限がある場合（Ｙｅｓ）には、アドレス配布処理部２１２ａは、通信アドレスを配布すべく、アドレス配布要求信号に収容されている機器ＩＤに基づいて提供アドレスリスト記憶部２２１ａのアドレスリスト１３１から検索し、アドレス配布要求信号に収容されている機器ＩＤに対応するネットワーク層の通信アドレスを取り出し、この取り出したネットワーク層の通信アドレスを収容する、アドレス配布要求信号の送信元の遠隔監視制御装置１３ａ宛ての通信信号（アドレス配布信号）を作成し、返信すべく、アドレス配布要求信号の送信元の遠隔監視制御装置１３ａに向けて送信し（Ｃ２５、Ｓ２３−ＧＷ）、処理を終了する。一方、処理Ｓ２２−ＧＷにおける判断の結果、正当権限が無い場合（Ｎｏ）には、アドレス配布処理部２１２ａは、アドレス配布要求信号を廃棄し（Ｓ２４−ＧＷ）、処理を終了する。
【００５３】
このアドレス配布信号を受信すると（Ｃ２６、Ｓ２３−Ｒ）、遠隔監視制御装置１３ａの中央処理部３０１ａにおけるアドレス取得処理部３１２ａは、アドレス配布信号に収容されている通信アドレスを記憶部３０２ａのアドレス記憶部３２２ａに記憶して通信アドレスを設定し（Ｃ２７、Ｓ２４−Ｒ）、処理を終了する。
【００５４】
そして、各住戸の遠隔監視制御装置１３ａに通信アドレスが設定されると、例えば施工者等のユーザが住戸の室番号と通信アドレスとの対応関係を調べて室番号リストを作成し、インターネット２２に接続したパーソナルコンピュータ等を用いてこの作成した室番号リストをセンタサーバ１１ａに送信し、センタサーバ１１ａに記憶させる。
【００５５】
このように動作することによって遠隔監視制御装置１３ａは、ＧＷ装置１２ａに記憶されている当該マンションに係るアドレスリスト１３１から通信アドレスがダウンロードされ、遠隔監視制御装置１３ａにアドレスが設定される。これ以後、遠隔監視制御装置１３ａは、この通信アドレスを用いてＧＷ装置１２ａを介してセンタサーバ１１ａと通信を行って機器を監視及び／又は制御する。
【００５６】
このように第１の実施形態に係る遠隔監視制御システム１ａでは、遠隔監視制御装置１１ａに予め記憶されている機器ＩＤに基づいて、センタサーバ１１ａがアドレス配布装置が組み込まれたＧＷ装置１２ａ介して遠隔監視制御装置１３ａに配布するので、ＤＨＣＰによることなくネットワーク層の通信アドレス（本実施形態ではＩＰアドレス）が遠隔監視制御装置１３ａに自動的に割り当てられ得る。このため、ネットワーク層の通信アドレスを遠隔監視制御装置１３ａに手入力する必要がなく、手間が省力され、また、入力ミスも排除することができ、また、入力のための一定のスキルが施工者等のユーザに要求されない。
【００５７】
次に、別の実施形態について説明する。
（第２の実施形態の構成）
第１の実施形態に係る遠隔監視制御システム１ａでは、センタサーバ１１ａが管理しているアドレスリスト１３１をＧＷ装置１２ａにダウンロードし、ＧＷ装置１２ａが遠隔監視制御装置１３ａの要求に応じて通信アドレスを配布する実施形態であるが、第２の実施形態に係る遠隔監視制御システム１ｂでは、センタサーバ１１ｂが遠隔監視制御装置１３ａの要求に応じて通信アドレスを配布する実施形態である。
【００５８】
このため、第２の実施形態に係るセンタサーバ１１ｂの中央処理部１０１ｂにおけるアドレス提供処理部１１１ｂが遠隔監視制御装置１３ａからの要求に応じて通信アドレスを遠隔監視制御装置１３ａに配布するアドレス配布処理を実行する点、第２の実施形態に係るＧＷ装置１２ｂの中央処理部２０２ｂにおけるアドレス配布処理部２１２ｂが遠隔監視制御装置１３ａからのアドレス配布要求信号を同報通信で受信するとこのアドレス配布要求信号をセンタサーバ１１ｂに転送すると共にセンタサーバ１１ｂからのアドレス提供信号を受信するとこのアドレス提供信号を遠隔監視制御装置１３ａに転送する点、ＧＷ装置１２ｂの記憶部２０３ｂに提供アドレスリスト記憶部２２１ｂを備えない点，及び、ＧＷ装置１２ｂの記憶部２０３ｂに物件名を記憶する必要が必ずしもない点を除き、第２の実施形態に係る遠隔監視制御システム１ｂの構成は、第１の実施形態に係る遠隔監視制御システム１ａの構成と同様であるので、その説明を省略する。
【００５９】
次に、本実施形態の動作について説明する。
（第２の実施形態の動作）
図８は、第２の実施形態において、センタサーバが遠隔監視制御装置の要求に応じてアドレスを配布する場合における動作を示すシーケンス図である。図９は、第２の実施形態において、センタサーバが遠隔監視制御装置の要求に応じてアドレスを配布する場合における遠隔監視制御装置、ＧＷ装置及びセンタサーバの動作を示すフローチャートである。図９（Ａ）は、この場合における遠隔監視制御装置の動作を示すフローチャートであり、図９（Ｂ）は、この場合におけるＧＷ装置の動作を示すフローチャートであり、そして、図９（Ｃ）は、この場合におけるセンタサーバの動作を示すフローチャートである。
【００６０】
図８及び図９において、遠隔監視制御装置１３ａがマンションＭの住戸に設置されマンションＭ内のＬＡＮに組み込まれて例えばその電源が投入されると、遠隔監視制御装置１３ａの中央処理部３０１ａにおけるアドレス取得処理部３１２ａは、設定ＳＷ３０７ａが操作されたか否かを繰り返し判断する（Ｓ３１−Ｒ）。そして、設定ＳＷ３０７ａが操作されると（Ｃ３１、Ｓ３１−ＲでＹｅｓ）、アドレス取得処理部３１２ａは、図７（Ａ）に示す処理Ｓ２２−Ｒと同様に、アドレス配布要求信号を作成し、マンションＭ内のＬＡＮに向けて同報通信で送信する（Ｃ３２、Ｓ３２−Ｒ）。
【００６１】
このアドレス配布要求信号を受信すると（Ｃ３３、Ｓ３１−ＧＷ）、ＧＷ装置１２ｂの中央処理部２０２ｂにおけるアドレス配布処理部２１２ｂは、この受信したアドレス配布要求信号に収容されている機器ＩＤと、通信アドレスの提供を要求する旨の情報とを収容するセンタサーバ１１ｂ宛ての通信信号（アドレス提供要求信号）を作成し、センタサーバ１１ｂに向けて送信する（Ｃ３４、Ｓ３２−ＧＷ）。
【００６２】
このアドレス提供要求信号を受信すると（Ｃ３５、Ｓ３１−ＣＳ）、センタサーバ１１ｂの中央処理部１０１ｂにおけるアドレス提供処理部１１１ｂは、アドレス提供要求信号に収容されている機器ＩＤを持つ遠隔監視制御装置１３ａが通信アドレスの配布を受け得る正当な権限のある製品であるか否かを判断する（Ｃ３６、Ｓ３２−ＣＳ）。この正当権限の有無の判断は、例えば、アドレス提供要求信号に収容されている機器ＩＤが補助記憶部１０６ａのアドレスリスト記憶部１２１ａに記憶されているアドレスリスト１３１に登録されているか否かを判断することによって実行され、機器ＩＤがこのアドレスリスト１３１に登録されている場合には正当権限があると判断され、機器ＩＤがこのアドレスリスト１３１に登録されていない場合には正当権限が無いと判断される。
【００６３】
処理Ｓ３２−ＣＳにおける判断の結果、正当権限がある場合（Ｙｅｓ）には、アドレス提供処理部１１１ｂは、通信アドレスを配布すべく、アドレス提供要求信号に収容されている機器ＩＤに基づいてアドレスリスト記憶部１２１ａのアドレスリスト１３１から検索し、アドレス提供要求信号に収容されている機器ＩＤに対応するネットワーク層の通信アドレスを取り出し、この取り出したネットワーク層の通信アドレスとアドレス提供要求信号に収容されている機器ＩＤとを収容する、ＧＷ装置１２ｂ宛ての通信信号（アドレス提供信号）を作成し、返信すべく、ＧＷ装置１２ｂに向けて送信し（Ｃ３７、Ｓ３３−ＣＳ）、処理を終了する。一方、処理Ｓ３２−ＣＳにおける判断の結果、正当権限が無い場合（Ｎｏ）には、アドレス提供処理部１１１ｂは、アドレス提供要求信号を廃棄し（Ｓ３４−ＣＳ）、処理を終了する。
【００６４】
このアドレス提供信号を受信すると（Ｃ３８、Ｓ３３−ＧＷ）、ＧＷ装置１２ｂの中央処理部２０２ｂにおけるアドレス配布処理部２１２ｂは、アドレス提供信号に収容されている通信アドレスを収容する、アドレス提供信号に収容されている機器ＩＤを持つ遠隔監視制御装置１３ａ宛ての通信信号（アドレス配布信号）を作成し、このアドレス提供信号に収容されている機器ＩＤを持つ遠隔監視制御装置１３ａに向けて送信し（Ｃ３９、Ｓ３４−ＧＷ）、処理を終了する。
【００６５】
このアドレス配布信号を受信すると（Ｃ４０、Ｓ３３−Ｒ）、遠隔監視制御装置１３ａの中央処理部３０１ａにおけるアドレス取得処理部３１２ａは、アドレス配布信号に収容されている通信アドレスを記憶部３０２ａのアドレス記憶部３２２ａに記憶して通信アドレスを設定し（Ｃ４１、Ｓ３４−Ｒ）、処理を終了する。
【００６６】
そして、各住戸の遠隔監視制御装置１３ａに通信アドレスが設定されると、例えば施工者等のユーザが住戸の室番号と通信アドレスとの対応関係を調べて室番号リストを作成し、インターネット２２に接続したパーソナルコンピュータ等を用いてこの作成した室番号リストをセンタサーバ１１ｂに送信し、センタサーバ１１ｂに記憶させる。
【００６７】
このように動作することによって遠隔監視制御装置１３ａは、センタサーバ１１ｂが管理しているアドレスリスト１３１から通信アドレスがダウンロードされ、遠隔監視制御装置１３ａにアドレスが設定される。これ以後、遠隔監視制御装置１３ａは、この通信アドレスを用いてＧＷ装置１２ｂを介してセンタサーバ１１ｂと通信を行って機器を監視及び／又は制御する。
【００６８】
このように第２の実施形態に係る遠隔監視制御システム１ｂでは、遠隔監視制御装置１１ａに予め記憶されている機器ＩＤに基づいて、センタサーバ１１ｂが直接的に遠隔監視制御装置１３ａに配布するので、ＤＨＣＰによることなくネットワーク層の通信アドレス（本実施形態ではＩＰアドレス）を遠隔監視制御装置１３ａに自動的に割り当てることができる。このため、ネットワーク層の通信アドレスを遠隔監視制御装置１３ａに手入力する必要がなく、手間が省力され、また、入力ミスも排除することができ、また、入力のための一定のスキルが施工者等のユーザに要求されない。
【００６９】
次に、別の実施形態について説明する。
（第３の実施形態の構成）
第２の実施形態に係る遠隔監視制御システム１ｂでは、通信アドレスを配布する処理と室番号リストを作成する処理とを別個独立に実行する実施形態であるが、第３の実施形態に係る遠隔監視制御システム１ｃでは、通信アドレスを配布する処理に併せて室番号リストを作成する処理を実行する実施形態である。
【００７０】
このため、第３の実施形態に係る宅内遠隔監視制御システム１３ｃが図４に破線で示すように室番号を入力する室番号入力部３０９ｃをさらに備える点、遠隔監視制御装置１３ｃの中央処理部３０１ｃにおけるアドレス取得処理部３１２ｃが室番号入力部３０９ｃから入力された室番号をアドレス配布要求信号にさらに収容する点、第３の実施形態に係るＧＷ装置１２ｃの中央処理部２０２ｃにおけるアドレス配布処理部２１２ｃがアドレス配布要求信号に収容されている室番号をアドレス提供要求信号にさらに収容する点、及び、第３の実施形態に係るセンタサーバ１１ｃの中央処理部１０１ｃにおける室番号リスト作成処理部１１２ｃがアドレス配布要求信号に収容されている室番号に基づいて室番号リストを作成する点を除き、第３の実施形態に係る遠隔監視制御システム１ｃの構成は、第２の実施形態に係る遠隔監視制御システム１ｂの構成と同様であるので、その説明を省略する。
【００７１】
室番号入力部３０９ｃは、一般にマンション等の集合住宅における各住戸の室番号が、当該住戸が所在するフロアの階数を表す桁と、当該フロアにおいて順に割り当てられる当該住戸の番号を表す桁とから構成されるので、例えば、階数を表す桁の番号を入力するためのディップスイッチや多接点スイッチと、フロアにおける住戸の番号を表す桁の番号を入力するためのディップスイッチや多接点スイッチとを備えて構成される。また、室番号入力部３０９ｃは、集合住宅の各住戸に配置される防災設備には通常室番号を記憶しているので、例えば、防災設備でもよく、防災設備から室番号を取得するように構成してもよい。
【００７２】
次に、本実施形態の動作について説明する。
（第３の実施形態の動作）
図１０は、第３の実施形態において、センタサーバが遠隔監視制御装置の要求に応じてアドレスを配布する場合における動作を示すシーケンス図である。図１１は、第３の実施形態において、センタサーバが遠隔監視制御装置の要求に応じてアドレスを配布する場合における遠隔監視制御装置、ＧＷ装置及びセンタサーバの動作を示すフローチャートである。図１１（Ａ）は、この場合における遠隔監視制御装置の動作を示すフローチャートであり、図１１（Ｂ）は、この場合におけるＧＷ装置の動作を示すフローチャートであり、そして、図１１（Ｃ）は、この場合におけるセンタサーバの動作を示すフローチャートである。
【００７３】
図１０及び図１１において、例えば施工者等のユーザは、遠隔監視制御装置１３ｃをマンションＭの住戸に設置してマンションＭ内のＬＡＮに組み込み、室番号入力部３０９ｃから当該住戸の室番号を入力し（Ｃ５１）、そして、電源を投入する。
【００７４】
例えば電源が投入されると、遠隔監視制御装置１３ｃの中央処理部３０１ｃにおけるアドレス取得処理部３１２ｃは、設定ＳＷ３０７ａが操作されたか否かを繰り返し判断する（Ｓ４１−Ｒ）。そして、設定ＳＷ３０７ａが操作されると（Ｃ５２、Ｓ４１−ＲでＹｅｓ）、アドレス取得処理部３１２ｃは、その記憶部３０２ａの機器ＩＤ記憶部３２１ａに記憶されている機器ＩＤと、室番号入力部３０９ｃから入力された室番号と、通信アドレスの提供を要求する旨の情報とを収容する通信信号（室番号情報付きアドレス配布要求信号）を作成し、マンションＭ内のＬＡＮに向けて同報通信で送信する（Ｃ５３、Ｓ４２−Ｒ）。
【００７５】
この室番号情報付きアドレス配布要求信号を受信すると（Ｃ５４、Ｓ４１−ＧＷ）、ＧＷ装置１２ｃの中央処理部２０２ｃにおけるアドレス配布処理部２１２ｃは、この受信した室番号情報付きアドレス配布要求信号に収容されている機器ＩＤ及び室番号と、通信アドレスの提供を要求する旨の情報とを収容するセンタサーバ１１ｃ宛ての通信信号（室番号情報付きアドレス提供要求信号）を作成し、センタサーバ１１ｃに向けて送信する（Ｃ５５、Ｓ４２−ＧＷ）。
【００７６】
この室番号情報付きアドレス提供要求信号を受信すると（Ｃ５６、Ｓ４１−ＣＳ）、センタサーバ１１ｃの中央処理部１０１ｃにおけるアドレス提供処理部１１１ｂは、図９に示す処理Ｓ３２−ＣＳと同様に、室番号情報付きアドレス提供要求信号に収容されている機器ＩＤを持つ遠隔監視制御装置１３ｃが通信アドレスの配布を受け得る正当な権限のある製品であるか否かを判断する（Ｃ５７、Ｓ４２−ＣＳ）。
【００７７】
処理Ｓ４２−ＣＳにおける判断の結果、正当権限がある場合（Ｙｅｓ）には、センタサーバ１１ｃの中央処理部１０１ｃにおける室番号リスト作成処理部１１２ｃは、室番号リスト１３２に登録すべく、室番号情報付きアドレス提供要求信号に収容されている機器ＩＤに基づいてアドレスリスト記憶部１２１ａのアドレスリスト１３１を検索することによって、室番号情報付きアドレス提供要求信号に収容されている機器ＩＤに対応するネットワーク層の通信アドレスを取り出し、この取り出したネットワーク層の通信アドレスと室番号情報付きアドレス提供要求信号に収容されている室番号とを対応付けて室番号リスト１３２に登録する（Ｃ５８、Ｓ４３−ＣＳ）。また、アドレス提供処理部１１１ｂは、図９に示す処理Ｓ３３−ＣＳと同様に、ＧＷ装置１２ｃ宛てのアドレス提供信号を作成し、ＧＷ装置１２ｃに向けて送信し（Ｃ５９、Ｓ４４−ＣＳ）、処理を終了する。一方、処理Ｓ４２−ＣＳにおける判断の結果、正当権限が無い場合（Ｎｏ）には、アドレス提供処理部１１１ｂは、室番号情報付きアドレス提供要求信号を廃棄し（Ｓ４５−ＣＳ）、処理を終了する。
【００７８】
そして、第３の実施形態に係るＧＷ装置１２ｃが実行するアドレス提供信号の受信処理（Ｃ６０、Ｓ４３−ＧＷ）及びアドレス配布信号の送信処理（Ｃ６１、Ｓ４４−ＧＷ）は、第２の実施形態に係るＧＷ装置１２ｂが実行するアドレス提供信号の受信処理（Ｃ３８、Ｓ３３−ＧＷ）及びアドレス配布信号の送信処理（Ｃ３９、Ｓ３４−ＧＷ）と同様であるのでその説明を省略する。また、第３の実施形態に係る遠隔監視制御装置１３ｃが実行するアドレス配布信号の受信処理（Ｃ６２、Ｓ４３−Ｒ）、通信アドレスの設定処理（Ｃ６３、Ｓ４４−Ｒ）は、第２の実施形態に係る遠隔監視制御装置１３ａが実行するアドレス配布信号の受信処理（Ｃ４０、Ｓ３３−Ｒ）、通信アドレスの設定処理（Ｃ４１、Ｓ３４−Ｒ）と同様であるのでその説明を省略する。
【００７９】
このように動作することによって遠隔監視制御装置１３ｃは、センタサーバ１１ｃが管理しているアドレスリスト１３１から通信アドレスがダウンロードされ、遠隔監視制御装置１３ｃにアドレスが設定される。これ以後、遠隔監視制御装置１３ｃは、この通信アドレスを用いてＧＷ装置１２ｃを介してセンタサーバ１１ｃと通信を行って機器を監視及び／又は制御する。そして、センタサーバ１１ｃは、通信アドレスを配布する処理に併せて室番号リスト１３２を作成することができる。
【００８０】
このように第３の実施形態に係る遠隔監視制御システム１ｃでは、遠隔監視制御装置１３ｃに予め記憶されている機器ＩＤに基づいて、センタサーバ１１ｃが直接的に遠隔監視制御装置１３ｃに配布するので、ＤＨＣＰによることなくネットワーク層の通信アドレス（本実施形態ではＩＰアドレス）を遠隔監視制御装置１３ｃに自動的に割り当てることができる。このため、ネットワーク層の通信アドレスを遠隔監視制御装置１３ｃに手入力する必要がなく、手間が省力され、また、入力ミスも排除することができ、また、入力のための一定のスキルが施工者等のユーザに要求されない。そして、センタサーバ１１ｃは、通信アドレスを配布する処理に併せて室番号リスト１３２を作成することができる。このため、室番号リストを施工者等のユーザが作成してセンタサーバ１１ｃに送信する必要がなく、手間が省力され、また、入力ミスも排除することができ、また、入力のための一定のスキルが施工者等のユーザに要求されない。
【００８１】
次に、別の実施形態について説明する。
（第４の実施形態の構成）
第１の実施形態に係る遠隔監視制御システム１ａでは、センタサーバ１１ａが管理しているアドレスリスト１３１をＧＷ装置１２ａにダウンロードし、ＧＷ装置１２ａが遠隔監視制御装置１３ａの要求に応じて通信アドレスを配布する実施形態であるが、第４の実施形態に係る遠隔監視制御システム１ｄでは、センタサーバ１１ｄが管理しているアドレスリスト１３１をＧＷ装置１２ｄにダウンロードし、ＧＷ装置１２ｄが通信アドレスを順に遠隔監視制御装置１３ｄに配布する実施形態である。即ち、ＧＷ装置１２ｄには、センタサーバ１１ｄからアドレスリストの提供を受けると共に、このアドレスリストから取り出した機器ＩＤとこの機器ＩＤに対応する通信アドレスを収容するアドレス配布信号をマンションＭ内のＬＡＮに同報通信で送信するアドレス配布装置が組み込まれている。
【００８２】
このため、第４の実施形態に係るセンタサーバ１１ｄの中央処理部１０１ｄにおけるアドレス提供処理部１１１ｄは、アドレスリスト提供要求信号を待つことなくアドレスリスト提供信号を送信する点、第４の実施形態に係るＧＷ装置１２ｄの中央処理部２０２ｄにおけるアドレス配布処理部２１２ｄがセンタサーバ１１ｄからアドレスリスト１３１の提供を受けると順に通信アドレスを遠隔監視制御装置１３ｄに配布する点、及び、第４の実施形態に係る遠隔監視制御装置１３ｄの中央処理部３０１ｄにおけるアドレス取得処理部３１２ｄがアドレス配布要求信号を送信することなく、自機宛てのアドレス配布信号を受信した場合に記憶部３０２ａのアドレス記憶部３２２ａに通信アドレスを記憶して設定する点を除き、第４の実施形態に係る遠隔監視制御システム１ｄの構成は、第１の実施形態に係る遠隔監視制御システム１ａの構成と同様であるので、その説明を省略する。
【００８３】
次に、本実施形態の動作について説明する。
（第４の実施形態の動作）
図１２は、第４の実施形態において、ＧＷ装置がセンタサーバからアドレスリストの提供を受け、ＧＷ装置が各遠隔監視制御装置に順に通信アドレスを配布する場合における動作を示すシーケンス図である。図１３は、第４の実施形態において、ＧＷ装置がセンタサーバからアドレスリストの提供を受け、ＧＷ装置が各遠隔監視制御装置に順に通信アドレスを配布する場合におけるセンタサーバ、ＧＷ装置及び遠隔監視制御装置の動作を示すフローチャートである。図１３（Ａ）は、この場合におけるセンタサーバの動作を示すフローチャートであり、図１３（Ｂ）は、この場合におけるＧＷ装置の動作を示すフローチャートであり、図１３（Ｃ）は、この場合における遠隔監視制御装置の動作を示すフローチャートである。
【００８４】
図１２及び図１３において、例えば、マンション共用システム２及び各住戸の宅内遠隔監視システム３の施工が完了し、施工者等のユーザが施工完了とＧＷ装置１２ｃの通信アドレスとをセンタサーバ１１ｄを管理する管理者に電話や電子メール等の通信手段によって通知すると（Ｃ７１）、センタサーバ１１ｄの中央処理部１０１ｄにおけるアドレス提供処理部１１１ｄは、その補助記憶部１０６のアドレスリスト記憶部１２１に記憶されているアドレスリスト１３１を取り出し、この取り出したアドレスリストを収容する通信信号（アドレスリスト提供信号）を作成し、管理者に指示されたＧＷ装置１２ｄに向けて送信する（Ｃ７２、Ｓ５１−ＣＳ）。
【００８５】
このアドレスリスト提供信号を受信すると（Ｃ７３、Ｓ５１−ＧＷ）、ＧＷ装置１２ｄの中央処理部２０２ｄにおけるアドレス配布処理部２１２ｄは、アドレスリスト提供信号に収容されているアドレスリスト１３１を記憶部２０３ａの提供アドレスリスト記憶部２２１ａに記憶する（Ｃ７４、Ｓ５２−ＧＷ）。
【００８６】
次に、アドレス配布処理部２１２ｄは、アドレスリストから一のレコードに登録されている機器ＩＤ及びネットワーク層の通信アドレスを取り出し、この取り出した機器ＩＤ及びネットワーク層の通信アドレスを収容する通信信号（アドレス配布信号）を作成し、マンションＭ内のＬＡＮに向けて同報通信で送信する（Ｃ７５、Ｓ５３−ＧＷ）。
【００８７】
各遠隔監視制御装置１３ｄは、この同報通信によるアドレス配布信号を受信すると（Ｃ７６、Ｓ５１−Ｒ）、その中央処理部３０１ｄにおけるアドレス取得処理部３１２ｄは、この受信したアドレス配布信号が自機宛てであるか否かを判断する（Ｃ７７、Ｓ５２−Ｒ）。この自機宛てであるか否かの判断は、例えば、この受信したアドレス配布信号に収容されている機器ＩＤがその記憶部３０２ａの機器ＩＤ記憶部３２１ａに記憶されている機器ＩＤに一致するか否かによって判断され、一致する場合には自機宛てであると判断され、不一致である場合には他機宛てであると判断される。
【００８８】
処理Ｓ５２−Ｒにおける判断の結果、自機宛てである場合（Ｙｅｓ）には、アドレス取得処理部３１２ｄは、この受信したアドレス配布信号に収容されている通信アドレスを記憶部３０２ａのアドレス記憶部３２２ａに記憶して通信アドレスを設定し（Ｃ７８、Ｓ５３−Ｒ）、通信アドレスの設定処理が終了した旨の情報を収容するＧＷ装置１２ｄ宛ての通信信号（設定終了通知信号）を作成し、この設定終了通知信号をＧＷ装置１２ｄに向けて送信し（Ｃ７９、Ｓ５４−Ｒ）、処理を終了する。一方、処理Ｓ５２−Ｒにおける判断の結果、他機宛てである場合（Ｎｏ）には、アドレス取得処理部３１２ｄは、この受信したアドレス配布信号を破棄し（Ｓ５５−Ｒ）、処理を終了する。
【００８９】
この設定終了通知信号を受信すると（Ｃ８０、Ｓ５４−ＧＷ）、ＧＷ装置１２ｄの中央処理部２０２ｄにおけるアドレス配布処理部２１２ｄは、アドレスリスト１３１に登録されている総ての通信アドレスを配布したか否かを判断する（Ｃ８１、Ｓ５５−ＧＷ）。この判断は、例えば、アドレス配布処理部２１２ｄは、アドレスリスト１３１の先頭のレコードに登録されているＩＰアドレスから順次に配布し、アドレスリスト１３１の最終のレコードに到達したか否かによって判断すればよい。あるいは、アドレスリスト１３１に配布済みのマーカ（目印）を登録するマーカフィールドをさらに設け、このマーカフィールドに配布済みのマーカが登録されていないレコードがあるか否かを検索することによって判断すればよい。
【００９０】
処理Ｓ５５−ＧＷにおける判断の結果、総ての通信アドレスの配布が終了している場合には、アドレス配布処理部２１２ｄは、総ての通信アドレスの配布が終了し各遠隔監視制御装置１３ｄの通信アドレスの設定が終了した旨の情報を収容するセンタサーバ１１ｄ宛ての通信信号（設定完了通知信号）を作成し、この設定完了通知信号をセンタサーバ１１ｄに向けて送信し（Ｃ８２、Ｓ５６−ＧＷ）、処理を終了する。一方、処理Ｓ５５−ＧＷにおける判断の結果、総ての通信アドレスの配布が終了していない場合には、アドレス配布処理部２１２ｄは、次の通信アドレスを配布すべく、処理を処理Ｓ５３−ＧＷに戻す。
【００９１】
そして、各住戸の遠隔監視制御装置１３ｄに通信アドレスが設定されると、例えば施工者等のユーザが住戸の室番号と通信アドレスとの対応関係を調べて室番号リストを作成し、インターネット２２に接続したパーソナルコンピュータ等を用いてこの作成した室番号リストをセンタサーバ１１ｄに送信し、センタサーバ１１ｄに記憶させる。
【００９２】
このように動作することによって遠隔監視制御装置１３ｄは、ＧＷ装置１２ｄに記憶されている当該マンションに係るアドレスリスト１３１から通信アドレスがダウンロードされ、遠隔監視制御装置１３ｄにアドレスが設定される。これ以後、遠隔監視制御装置１３ｄは、この通信アドレスを用いてＧＷ装置１２ｄを介してセンタサーバ１１ｄと通信を行って機器を監視及び／又は制御する。
【００９３】
このように第４の実施形態に係る遠隔監視制御システム１ｄでは、遠隔監視制御装置１３ｄに予め記憶されている機器ＩＤに基づいて、センタサーバ１１ｄがアドレス配布装置が組み込まれたＧＷ装置１１ｄを介して遠隔監視制御装置１３ｄに配布するので、ＤＨＣＰによることなくネットワーク層の通信アドレス（本実施形態ではＩＰアドレス）を遠隔監視制御装置１３ｄに自動的に割り当てることができる。このため、ネットワーク層の通信アドレスを遠隔監視制御装置１３ｄに手入力する必要がなく、手間が省力され、また、入力ミスも排除することができ、また、入力のための一定のスキルが施工者等のユーザに要求されない。
【００９４】
ここで、第１及び第４の実施形態に係る遠隔監視制御システム１ａ、１ｄでは、通信アドレス（各実施形態ではＩＰアドレス）を遠隔監視制御装置１３ａ、１３ｄに配布するアドレス配布装置をＧＷ装置１２ａ、１２ｄに組み込んだ構成を示したが、アドレス配布装置を個別の装置としてもよい。例えば、図１に破線で示すように、通信アドレス（各実施形態ではＩＰアドレス）を遠隔監視制御装置１３ａ、１３ｄに配布するアドレス配布装置４１をＳＷ−ＨＵＢ２４に相互に通信可能に接続してマンション共用システム２にさらに備えるように構成してもよい。このようなアドレス配布装置４１は、例えば、アドレス配布処理部２１２ａ、２１２ｄを備えＧＷ処理部２１１ａを備えない中央処理部、記憶部２０３ａと同様の記憶部、第２通信インタフェース部２０４ａと同様の通信インタフェース部及びバス２０６ａと同様のバスを備えて構成される。そして、センタサーバ１１ａ、１１ｄとアドレス配布装置４１とは、ＶＰＮ装置２１、ネットワーク２２、ルータ装置２３、ＳＷ−ＨＵＢ２４、ＶＰＮ装置２５、ハブ２６及びＧＷ装置１２ａ、１２ｄ（但し、アドレス配布処理部２１２ａ、２１２ｄを備えずＧＷ処理部２１１ａのみを備える）を介して相互に通信を行う。アドレス配布装置４１と遠隔監視制御装置１３ａ、１３ｄとは、これらＳＷ−ＨＵＢ２４を介して相互に通信を行う。
【００９５】
また、上述の第１乃至第４の実施形態に係る遠隔監視制御システム１において、ＧＷ装置１２にアドレス配布装置を組み込む代わりに、図１に破線で示すように、遠隔監視制御装置１３のシリアルインタフェース部３０６にハブ３５を介して接続され、この遠隔監視制御装置１３からその記憶部３０２における機器ＩＤの提供を受けて、この機器ＩＤとアドレスリストの提供を要求する旨の情報を収容する通信信号をセンタサーバ１１に送信することによってセンタサーバ１１からその補助記憶部１０６におけるアドレスリストの提供を受けると共に、設定ＳＷ３０７が操作されると、このアドレスリストから取り出した機器ＩＤに対応する通信アドレスをこの遠隔監視制御装置１３の通信アドレスとして遠隔監視制御装置１３に設定するアドレス設定装置５１を備えるように構成してもよい。アドレス設定装置５１とセンタサーバ１１との間の通信には、通信のセキュリティを向上させる観点から、所謂ＳＳＬ（Security Sockets Layer）が利用される。
【００９６】
このようなアドレス設定装置５１は、ブラウザを備えインターネットに接続する機能を持ったパーソナルコンピュータであるウェブパーソナルコンピュータ（以下、「Ｗｅｂ・ＰＣ」と略記する。）５１ａや、ブラウザを備えインターネットに接続する機能を持ったテレビジョンであるウェブテレビジョン（以下、「Ｗｅｂ・ＴＶ」と略記する。）５１ｂによって構成される。
【００９７】
そして、アドレス設定装置５１は、遠隔監視制御装置１３に通信アドレスを設定した後に、設定した遠隔監視制御装置１３の機器ＩＤと、設定した通信アドレスと、室番号とを収容する通信信号をセンタサーバ１１に送信し、センタサーバ１１が室番号リストを作成するように構成してもよい。
【図面の簡単な説明】
【００９８】
【図１】遠隔監視制御システムの構成を示す図である。
【図２】遠隔監視制御システムにおけるセンタサーバの構成及びその記憶内容を示す図である。
【図３】遠隔監視制御システムにおけるゲートウェイ装置の構成を示す図である。
【図４】遠隔監視制御システムにおける遠隔監視制御装置の構成を示す図である。
【図５】第１の実施形態において、ＧＷ装置がセンタサーバからアドレスリストの提供を受け、ＧＷ装置が遠隔監視制御装置の要求に応じてアドレスを配布する場合における動作を示すシーケンス図である。
【図６】図６は、第１の実施形態において、ＧＷ装置がセンタサーバからアドレスリストの提供を受ける場合におけるＧＷ装置及びセンタサーバの動作を示すフローチャートである。
【図７】図７は、第１の実施形態において、ＧＷ装置が遠隔監視制御装置の要求に応じてアドレスを配布する場合における遠隔監視制御装置及びＧＷ装置の動作を示すフローチャートである。
【図８】第２の実施形態において、センタサーバが遠隔監視制御装置の要求に応じてアドレスを配布する場合における動作を示すシーケンス図である。
【図９】第２の実施形態において、センタサーバが遠隔監視制御装置の要求に応じてアドレスを配布する場合における遠隔監視制御装置、ＧＷ装置及びセンタサーバの動作を示すフローチャートである。
【図１０】第３の実施形態において、センタサーバが遠隔監視制御装置の要求に応じてアドレスを配布する場合における動作を示すシーケンス図である。
【図１１】第３の実施形態において、センタサーバが遠隔監視制御装置の要求に応じてアドレスを配布する場合における遠隔監視制御装置、ＧＷ装置及びセンタサーバの動作を示すフローチャートである。
【図１２】第４の実施形態において、ＧＷ装置がセンタサーバからアドレスリストの提供を受け、ＧＷ装置が各遠隔監視制御装置に順に通信アドレスを配布する場合における動作を示すシーケンス図である。
【図１３】第４の実施形態において、ＧＷ装置がセンタサーバからアドレスリストの提供を受け、ＧＷ装置が各遠隔監視制御装置に順に通信アドレスを配布する場合におけるセンタサーバ、ＧＷ装置及び遠隔監視制御装置の動作を示すフローチャートである。
【符号の説明】
【００９９】
１ａ、１ｂ、１ｃ、１ｄ  遠隔監視制御システム
１１ａ、１１ｂ、１１ｃ、１１ｄ  センタサーバ
１２ａ、１２ｂ、１２ｃ、１２ｄ  ゲートウェイ装置
１３ａ、１３ｃ、１３ｄ  遠隔監視制御装置
２９  監視制御端末
４１  アドレス配布装置
５１ａ  ウェブパーソナルコンピュータ
５１ｂ  ウェブテレビジョン
１０１ａ、１０１ｂ、１０１ｃ、１０１ｄ、２０１ａ、２０１ｂ、２０１ｃ、２０１ｄ、３０１ａ、３０１ｃ、３０１ｄ  中央処理部
１０３ａ、３０３ａ  通信インタフェース部
１０６ａ  補助記憶部
１１１ａ、１１１ｂ、１１１ｄ  アドレス提供処理部
１１２ａ、１１２ｃ  室番号リスト作成処理部
１２１ａ  アドレスリスト記憶部
１２２ａ  室番号記憶部
１３１  アドレスリスト
１３２  室番号リスト
２０１ａ  第１通信インタフェース部
２０４ａ  第２通信インタフェース部
２１２ａ、２１２ｂ、２１２ｃ、２１２ｄ  アドレス配布処理部
２０３ａ、２０３ｂ、３０２ａ  記憶部
２２１ａ  提供アドレスリスト記憶部
３０７ａ  設定スイッチ
３０９ａ  室番号入力部
３１２ａ、３１２ｃ、３１２ｄ  アドレス取得処理部
３２１ａ  機器ＩＤ記憶部
３２２ａ  アドレス記憶部
【図１】
2006197487.tif 000003
【図２】
2006197487.tif 000004
【図３】
2006197487.tif 000005
【図４】
2006197487.tif 000006
【図５】
2006197487.tif 000007
【図６】
2006197487.tif 000008
【図７】
2006197487.tif 000009
【図８】
2006197487.tif 000010
【図９】
2006197487.tif 000011
【図１０】
2006197487.tif 000012
【図１１】
2006197487.tif 000013
【図１２】
2006197487.tif 000014
【図１３】
2006197487.tif 000015